(57)【要約】      （修正有）【課題】気化フィルター（気液接触器）の内部は勿論のこと、気化フィルターを内蔵する筐体内全体をカビや雑菌の温床となり難い衛生的構造とした滴下式気化機の提供。【解決手段】滴下式気化機は、筐体１内において多数の貫通孔ｈが板厚方向に揃うハニカム吸湿板７で仕切られた第１空間８及び第２空間９と、ハニカム吸湿板７の上部に対し液槽４からの液体を滴下する給液装置６と、第１空間８に設けられてハニカム吸湿板７の一面に臨み貫通孔ｈ方向に向けて送風する送風ファン１０と、第２空間９に設けられてハニカム吸湿板７の他面に臨み貫通孔ｈを通り抜ける風流を面的に受ける除菌消臭剤１１を収納する除菌消臭剤収納器２０と、筐体１のうち第１空間８側で送風ファン１０の吸い込み側に設けられた空気取入口１３と、筐体１のうち第２空間９側に設けられた空気吹出口１５を備える。【選択図】図１
2012149812.tif 000002
【特許請求の範囲】
【請求項１】
筐体内において多数の貫通孔が板厚方向に揃うハニカム吸湿板で仕切られた第１空間及び第２空間と、前記ハニカム吸湿板の上部に対し液槽からの液体を滴下する給液手段と、前記第１空間に設けられて前記ハニカム吸湿板の一面に臨み貫通孔方向に向けて送風する送風手段と、前記第２空間に設けられて前記ハニカム吸湿板の他面に臨み前記貫通孔を通り抜ける風流を面的に受ける除菌消臭剤を収納する除菌消臭剤収納器と、前記筐体のうち前記第１空間側で前記送風手段の吸い込み側に設けられた空気取入口と、前記筐体のうち前記第２空間側に設けられた空気吹出口を備えて成ることを特徴とする滴下式気化機。
【請求項２】
請求項１に記載の滴下式気化機において、前記空気取入口の内側に設けられた集塵フィルターを有することを特徴とする滴下式気化機。
【請求項３】
請求項１又は請求項２に記載の滴下式気化機において、前記送風手段が前記貫通孔方向に向けて送風を開始する直前又は当該送風を停止した直後の一定時間において前記送風手段が前記貫通方向とは逆方向に送風運転するよう送風切り替え制御手段を有することを特徴とする滴下式気化機。
【請求項４】
請求項１又は請求項２に記載の滴下式気化機において、前記給液手段は、前記液槽からポンプを介して前記上部へ液体を供給する給液流路と、この給液流路のうち前記ポンプの下流側から分岐し前記液槽へ液体が帰還するための還流路とを有することを特徴とする滴下式気化機。
【請求項５】
請求項４に記載の滴下式気化機において、前記還流路に流量調整弁を有することを特徴とする滴下式気化機。
【発明の詳細な説明】
【技術分野】
【０００１】
本発明は、加湿器又は除菌消臭機として使用できる滴下式気化機に関する。
【背景技術】
【０００２】
水槽部の水を吸水し送風装置からの送風で気化が促進される不織布製の蛇腹状や多孔質状の気化フィルター（気液接触器）を用いた加湿器としては、特許文献１に見られるよう、回転可能な気化フィルターに紫外線を照射する紫外線ランプを設けたものが知られている。
【０００３】
また、特許文献２に見られるように、気化フィルター（気液接触器）に発熱体を備えたものも知られている。
【先行技術文献】
【特許文献】
【０００４】
【特許文献１】特開２００５−３４４９７９（図１）
【特許文献２】特開２００８−２９２０７９（図１）
【発明の概要】
【発明が解決しようとする課題】
【０００５】
しかしながら、上記の紫外線照射方式では気液接触器の外観表面だけの防カビ・除菌に留まり、気化フィルターの内部や細部に対しては紫外線が行き届かず、気化フィルターの衛生管理は体積的には不十分であった。
【０００６】
また、水槽部に  除菌消臭液を入れて気化フィルターから除菌消臭気体を室内に放散させる除菌消臭機としての用い方では、夏期などの高湿度雰囲気下では送風だけでは所望の気化量が得難いため、気化フィルターに発熱体を備えることも考えられるものの、気化フィルターに滴下する液自体を加熱する必要があり、付加機構が必要となるうえ不経済であった。
【０００７】
そこで、本発明の第１の課題は、気液接触器としての気化フィルター自体の内部は勿論のこと、気液接触器を内蔵する筐体内をカビや雑菌の温床となり難い衛生的構造とした滴下式気化機を提供することにある。第２の課題は、夏期などにおいて除菌消臭したい空間が高湿度の場合でも、湿度に影響されず除菌消臭剤を放散できる滴下式気化機を提供するものである。
【課題を解決するための手段】
【０００８】
本発明に係る滴下式気化機は、筐体内において多数の貫通孔が板厚方向に揃うハニカム吸湿板で仕切られた第１空間及び第２空間と、このハニカム吸湿板の上部に対し液槽からの液体を滴下する給液手段と、第１空間に設けられてハニカム吸湿板の一面に臨み貫通孔方向に向けて送風する送風手段と、第２空間に設けられてハニカム吸湿板の他面に臨み貫通孔を通り抜ける風流を面的に受ける除菌消臭剤を収納する除菌消臭剤収納器と、筐体のうち第１空間側で送風手段の吸い込み側に設けられた空気取入口と、筐体のうち第２空間側に設けられた空気吹出口を備えて成ることを特徴とする。
【０００９】
斯かる内部構造においては、多数の貫通孔が板厚方向に揃うハニカム吸湿板を用いて第１空間と第２空間に仕切り、ハニカム吸湿板の一面に臨み貫通孔方向に向けて送風する送風手段を第１空間に設け、ハニカム吸湿板の他面に臨み貫通孔を通り抜ける風流を面的に受ける除菌消臭剤を収納する収納器を第２空間に設けてあるから、送風手段の正方向運転時は風流によってハニカム吸湿板及び除菌消臭剤を収納する収納器からの除菌消臭剤ガスが空気吹出口を介して効果的に外部放散できる。また送風手段の運転停止時でも除菌消臭剤を収納する収納器から除菌消臭剤ガスが放散し続けるため、除菌消臭剤ガスがハニカム吸湿板の多数の貫通孔を介して第１空間から空気取入口まで行き渡り、ハニカム吸湿板を体積的に除菌消臭できることは勿論、第１空間内の送風手段などに対しても除菌消臭でき、衛生管理の万全化に資する。特に、ハニカム吸湿板の貫通孔方向は板厚方向に揃って第１空間と第２空間とを最短距離で連通し双方向放散性を高めている。
【００１０】
空気取入口の内側に集塵フィルターを設けることが望ましい。室内の塵を集塵でき、第１空間内の送風手段を駆動し室内の空気を循環させることで空気清浄機として使用できる。第１空間側の集塵フィルターは送風手段の運転停止時でも除菌消臭剤ガスの自然放散により除菌消臭できる。
【００１１】
送風手段が貫通孔方向に向けて送風を開始する直前又は当該送風を停止した直後の一定時間において送風手段が貫通孔方向とは逆方向に送風運転するよう送風切り替え制御手段を有する場合、除菌消臭剤の自然放散に加えて風力により、ハニカム吸湿板、第１空間の送風手段などを強制的に除菌消臭できる。
【００１２】
給液手段としては、液槽からの液体をポンプを介してハニカム吸湿板の上部へ滴下する給液流路の外、この給液流路のうちポンプの下流側から分岐し液槽へ液体が帰還するための還流路とを有するものが望ましい。ポンプの下流側から分岐し液槽へ液体が帰還するための還流路を有しているから、液体がポンプを介してハニカム吸湿板に対し過剰に供給されることを防止できるため、気化効率の高い気液接触を維持できる。
【００１３】
給液手段の還流路に流量調整弁を有する場合、調整機能を備えているので、ポンプ自体を変更しても、ポンプの出力が変わっても、ハニカム吸湿板の湿り状態を最適な状態に保てるよう調節できる。
【発明の効果】
【００１４】
本発明によれば、第２空間の除菌消臭剤を送風により外部放散用に用いることができると共に、ハニカム吸湿板の貫通孔を介して機械内部のハニカム吸湿板自体や第１空間の除菌消臭を行うことができる。また、夏期など除菌消臭したい室内が高湿度の場合でも、第２空間側の除菌消臭剤により湿度に影響されず除菌消臭成分を放散できる利点がある。
【図面の簡単な説明】
【００１５】
【図１】本発明の滴下式気化機の一実施例を示す縦断面図である。
【図２】同実施例におけるハニカム吸湿板の構造を示す斜視図である。
【図３】同実施例における除菌消臭剤収納器を示す斜視図である。
【図４】（Ａ）は同実施例における給液装置の給液流路と還流路を示す部分図、（Ｂ）はその還流路に流量調整弁を設けた状態を示す部分図である。
【発明を実施するための形態】
【００１６】
本例の滴下式気化機は、図１に示す如く、底部に足車２が設けられた筐体１の上面端部に手押しハンドル３が起立されており、手押しで移動可能となっている。筐体１の内部空間底部には液槽４が設けられており、この液槽４のタンクキャップ５を外すことにより液体の充填が可能である。なお、液槽４は筐体１外のタンクでも構わない。
【００１７】
筐体１内の液槽４の上部空間は、気液接触器としてのハニカム吸湿板７で第１空間８と第２空間９とに仕切られている。ハニカム吸湿板７の多数の貫通孔ｈは板厚方向に揃っている。ハニカム吸湿板７の上部に対し液体を滴下する給液装置６は、液槽４からの液体を吸上げる吸液管６ａと、筐体１内の上面近傍に固定されたポンプ６ｂと、ハニカム吸湿板７の上部に液体を滴下する給液管６ｃと、液体を液槽４へ戻す還流管６ｄとを備えている。
【００１８】
第１空間８においては、ハニカム吸湿板７の一面に臨み、貫通孔方向ｈａに向けて送風するための送風ファン１０が設けられている。この送風ファン１０の順送風方向ｆａと貫通孔方向ｈａとは揃っている。
【００１９】
第２空間９においては、ハニカム吸湿板７の他面に臨み貫通孔ｈを通り抜ける風流を面的に受ける除菌消臭剤１１を収納する除菌消臭剤収納器２０が着脱自在に設けられている。
筐体１のうち第１空間８側で、送風ファン１０の順送風方向ｆａ運転時の空気吸い込み側に空気取入口１３が設けられている。また、筐体１のうち第２空間９側で吹出口角度ｒの風洞により風向きを変えられる空気吹出口１５が設けられている。空気取入口１３の内側には滴下式気化機に取入れられる空気の塵を捕獲する集塵フィルター１４が設けられている。第１空間８の上部にはポンプ６ｂや送風ファンの運転を制御する電気制御部１６が設けられている。
【００２０】
ハニカム吸湿板７は、図２に示す如く、不織布製の薄い板状のライナー部Ａと不織布製の波形芯材Ｂを交互に積み重ねた積層構造で多数の貫通孔ｈが全て板厚方向に向いている。貫通孔方向ｈａと送風ファン１０の順送風方向ｆａは一致し、貫通孔ｈの逆方向ｈｂと逆送風方向ｆｂは一致している。なお、Ｃは筐体内ドレインパンである。
【００２１】
除菌消臭剤収納器２０は、図３に示す如く、筐体１の第２空間９側の上端に設けられた窪み部９ａに嵌めるためのはみ出し端部１２ａを有する吊り下げ棒１２と、この吊り下げ棒１２に対して複数のＬ形棒で直行する方向に組んだ受けラック部２１と、この受けラック部２１に対して蝶着した被せラック部２２とから成り、被せラック部２２は掛け止めフック２２ａを有する。この吊り下げ棒１２はハニカム吸湿板７の貫通孔方向ｈａと直行する方向に横架けされる。
【００２２】
この除菌消臭剤収納器２０に入れる除菌消臭剤１１としては、例えば二酸化塩素剤を用いる場合は、主剤を顆粒状とし袋状の風通しの良い不織布等で被ったものとし、使用する際は袋の上から手で押しつぶすなどして顆粒内で化学反応を促進させて二酸化塩素ガスを放散させる。また植物性の揮発性物質フィトンチッド剤を用いても良い。
【００２３】
なお、給液装置６としては、図４（Ａ）に示す如く、供給する給液管６ｃから分岐し液槽４へ液体が帰還するための還流管６ｄを備えている場合は勿論、図４（Ｂ）に示す如く、還流管６ｄに流量調整弁６ｅを備えている場合でも構わない。
【００２４】
次に実施例１の作用効果について説明する。筐体１内におけるハニカム吸湿板７の多数の貫通孔方向ｈａは、送風ファン１０の順送風方向ｆａに揃っているので、送風ファン１０からの風は順調に貫通孔ｈを吹き抜け、気液接触器としてのハニカム吸湿板７上に滴下した液体が効率よく気化される。また、多数の貫通孔ｈを吹き抜けた風が除菌消臭剤収納器２０に収納された除菌消臭剤１１に面的に当たる。これにより除菌消臭剤１１のガス化した有効成分を送風に乗せ放散できる。夏期など除菌消臭したい室内が高湿度の場合でも、第２空間側の除菌消臭剤により湿度に影響されず除菌消臭成分を放散できる利点がある。
【００２５】
さらに、除菌消臭剤収納器２０から放散する除菌消臭ガスに加え、液槽４内に除菌消臭剤水溶液を入れてハニカム吸湿板７上に滴下する除菌消臭剤水溶液成分により、加湿効果と除菌消臭剤ガスを得ることができ、除菌消臭ガスの豊富化を実現できる。
【００２６】
液槽４内に充填する除菌消臭剤水溶液としては、例えば二酸化塩素剤水溶液を使用する。
除菌消臭剤１１に植物性の揮発性物質を用いる場合、除菌消臭剤水溶液は除菌消臭効果のある植物性アミノ酸水溶液を用いても良い。
【００２７】
なお、液槽４内に水を入れ、ハニカム吸湿板７上に滴下し気化させる単純な加湿機として用いてもよい。
【００２８】
本実施例の筐体１は、第１空間８側で送風ファン１０順送風方向ｆａ運転時の空気吸込み側に空気取入口１３を設け、第２空間９側で吹出口角度ｒをもたせた風洞を設けることにより、目的とする空間の空気を循環させながら吹出口角度ｒを変えて風向きを切り替え
除菌消臭成分を放散できる。
【００２９】
空気取入口１３の内側には集塵フィルター１４が設けられており、空気の塵を捕獲するので、除菌消臭剤１１非装着かつ液槽４に液体を入れない場合でも、送風ファン１０を回す事により空気清浄機として用いる事もできる。
【００３０】
第１空間８の上部の電気制御部１６は、ポンプ６ｂの運転停止や、送風ファン１０の運転停止、風力の強弱切り替えを行う。さらに電気制御部１６が、送風ファン１０を貫通孔方向ｈａに向けて送風を開始する直前、又は、当該風を停止した直後の一定時間において、送風ファン１０が貫通孔方向ｈａとは逆方向ｈｂに送風運転するよう制御する。除菌消臭剤１１成分の自然放散に加えて逆送風方向ｆｂの風力により、ハニカム吸湿板７及び第１空間８の送風ファン１０ならびに除菌フィルター１４をも強制的に除菌消臭できる。
【００３１】
本実施例１では送風ファン１０停止時も、筐体１内の除菌消臭剤収納器２０に収納された除菌消臭剤１１から除菌消臭ガスが自然放散し続けており、ハニカム吸湿板７の貫通孔ｈ逆方向ｈｂは第１空間８と最短距離で連通されているため、除菌消臭ガスは容易に放散し、ハニカム吸湿板７は勿論のこと第１空間８や送風ファン１０及び集塵フィルター１４まで行き渡り、機械内部全体を除菌消臭できる。
【００３２】
本例の除菌消臭剤収納器２０の受けラック部２１、被せラック部２２は、除菌消臭剤１１主剤に耐性のある金属材で開放面積の広い格子状に構成してあるので、除菌消臭剤１１の放散が容易である。
【００３３】
また、本例の除菌消臭剤収納器２０は取付の際、吊り下げ棒１２により筐体１内の第２空間９上端に設けた窪み部９ａに嵌め横架けするが、横架け方向はハニカム吸湿板７の貫通孔方向ｈａと直行させており、受けラック部２１は吊り下げ棒１２に対し複数のＬ形棒で直行する方向に組んであるから、被せラック部２２を除菌消臭剤１１に被せ、掛け止めフック２２ａで固定し吊り下げれば、除菌消臭剤１１をハニカム吸湿板７の貫通孔方向ｈａと正対させ取付けられ、除菌消臭剤１１は送風ファン１０からの順送風方向ｆａ風を面的に受け、除菌消臭剤１１のガス化した有効成分を送風に乗せ放散できる。
【００３４】
実施例１の給液装置６は、液槽４内の液体をポンプ６ｂを介してハニカム吸湿板７上に滴下するが、ポンプ６ｂの下流側から分岐し液槽４へ液体を帰還させるための還流管６ｄを設け、還流管６ｂの太さを調整することにより、ハニカム吸湿板７上に過剰に液体が滴下するのを防止でき、気液接触器としてのハニカム吸湿板７を最適な湿り状態に保つ事ができるうえ、本滴下式気化機内の液体循環を促す事ができる。また、還流管６ｄに流量調整弁６ｅを設けた場合は、ポンプ６ｂを換えてポンプ６ｂの出力が変化しても、流量調整弁６ｅの調整機能によりハニカム吸湿板７を最適な湿り状態に保つ事ができる。
【符号の説明】
【００３５】
１…筐体
２…足車
３…手押しハンドル
４…液槽
５…タンクキャップ
６…給液装置
６ａ…吸液管
６ｂ…ポンプ
６ｃ…給液管
６ｄ…還流管
６ｅ…流量調整弁
７…ハニカム吸湿板
８…第１空間
９…第２空間
９ａ…窪み部
１０…送風ファン
１１…除菌消臭剤
１２…吊り下げ棒
１２ａ…はみ出し端部
１３…空気取入口
１４…集塵フィルター
１５…空気吹出口
１６…電気制御部
２０…除菌消臭剤収納器
２１…受けラック部
２２…被せラック部
２２ａ…掛け止めフック
Ａ…ライナー部
Ｂ…波形芯材
Ｃ…筐体内ドレインパン
ｄ…液滴
ｆａ…順送風方向
ｆｂ…逆送風方向
ｈ…貫通孔
ｈａ…貫通孔方向
ｈｂ…逆方向
ｒ…吹出口角度
【図１】
2012149812.tif 000003
【図２】
2012149812.tif 000004
【図３】
2012149812.tif 000005
【図４】
2012149812.tif 000006